(57)【特許請求の範囲】
【請求項１】
第１の通信方式及び第２の通信方式で通信を行う通信部と、
前記第１の通信方式に対応付けられた自装置のＩＣカードが挿入される挿入部と、
ＰＩＮロック若しくはＰＵＫロックがされている場合において、前記挿入部に前記ＩＣカードが挿入されていないと、前記第２の通信方式による発信を許可する制御部と、を有する通信装置。
【請求項２】
前記挿入部に前記ＩＣカードが挿入されていない場合に、前記第２の通信方式による通信の発信先として許可される許可発信先情報を予め記憶する記憶部と、
前記第２の通信方式による通信の発信先である発信先情報が入力される操作部と
をさらに有し、
前記制御部は、前記挿入部に前記ＩＣカードが挿入されていない場合であって、かつ前記操作部に入力された前記発信先情報が、前記記憶部に予め記憶されている前記許可発信先情報と一致する場合には、前記第２の通信方式による発信を許可する請求項１に記載の通信装置。
【請求項３】
第１の通信方式及び第２の通信方式で通信を行う通信部と、前記第１の通信方式に対応付けられたＩＣカードが挿入される挿入部とを有する通信装置を制御する方法であって、
ＰＩＮロック若しくはＰＵＫロックがされている場合において、前記挿入部に前記ＩＣカードが挿入されているか否かを判定するステップと、
前記挿入部に前記ＩＣカードが挿入されていないと、前記第２の通信方式による発信を許可するステップと、
を含む通信方法。
【請求項４】
第１の通信方式及び第２の通信方式で通信を行う通信部と、前記第１の通信方式に対応付けられた自装置のＩＣカードが挿入される挿入部とを有する通信装置に、
ＰＩＮロック若しくはＰＵＫロックがされている場合において、前記挿入部に前記自装置のＩＣカードが挿入されているか否かを判定するステップと、
前記挿入部に前記自装置のＩＣカードが挿入されていないと判定された場合に、前記第２の通信方式による発信を許可するステップと、
を実行させる通信プログラム。
【発明の詳細な説明】
【技術分野】
【０００１】
本出願は、通信装置、通信方法、及び通信プログラムに関する。特に、本出願は、タッチスクリーンを有する通信装置、その通信装置を制御する方法、及びその通信装置を制御するためのプログラムに関する。
【背景技術】
【０００２】
タッチスクリーンを備えるタッチスクリーンデバイスが知られている。タッチスクリーンデバイスは、例えば、スマートフォン及びタブレットを含むが、これらに限定されない。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、及びＷｉｎｄｏｗｓ（登録商標）  Ｐｈｏｎｅを含むが、これらに限定されない。
【０００４】
タッチスクリーンデバイスなどの通信装置のうち、第３世代対応の装置では、ＵＳＩＭ（Ｕｎｉｖｅｒｓａｌ  Ｓｕｂｓｒｉｂｅｒ  Ｉｄｅｎｔｉｔｙ  Ｍｏｄｕｌｅ）カードと呼ばれるＩＣカードを装置に挿入することにより、他の端末との間で通話を含む通信を行うことができる。ＵＳＩＭカードは、いわゆるキャリアと呼ばれる携帯電話事業者により、携帯電話網の利用契約者に対して発行される。ＵＳＩＭカードには、利用契約者の情報が記録される。
【先行技術文献】
【特許文献】
【０００５】
【特許文献１】国際公開第２００８／０８６３０２号
【発明の概要】
【発明が解決しようとする課題】
【０００６】
ＵＳＩＭカードには、ＵＳＩＭ−ＰＩＮ（Ｐｅｒｓｏｎａｌ  Ｉｄｅｎｔｉｆｉｃａｔｉｏｎ  Ｎｕｍｂｅｒ）ロック及びＵＳＩＭ−ＰＵＫ（Ｐｅｒｓｏｎａｌ  Ｕｎｌｏｃｋ  Ｋｅｙ）ロックと呼ばれる機能が備えられている。
【０００７】
ＵＳＩＭ−ＰＩＮロックは、正当な利用者であるか否かを判定するための機能である。タッチスクリーンデバイスなどの通信装置は、ＵＳＩＭ−ＰＩＮロックの機能が有効である場合、電源投入時にＰＩＮコードと呼ばれるパスワードの入力を求め、入力されたＰＩＮコードが正しければ、装置を利用できる状態とする。正しいＰＩＮコードを入力しなければ、装置を利用することができない状態は、ＰＩＮロック状態などとも呼ばれる。ＵＳＩＭ−ＰＵＫロックは、所定回数、誤ったＰＩＮコードの入力が行われた場合に、ＰＩＮコードそのものを入力させないようにするための機能である。タッチスクリーンデバイスなどの通信装置は、ＰＩＮコードを入力可能な状態に復帰させるために必要なＰＵＫコードと呼ばれるパスワードの入力を求め、ＰＵＫコードが正しければ、再び、ＰＩＮコードを入力可能な状態に遷移する。ＰＩＮコードを入力可能な状態に復帰するために、ＰＵＫコードの入力を求める状態はＰＵＫロック状態などとも呼ばれる。
【０００８】
タッチスクリーンデバイスなどの通信装置は、ＰＩＮロック状態及びＰＵＫロック状態にある場合、発信先が緊急通報用電話番号に限定されている。ＵＳＩＭカードを装置から抜いてしまった場合には、発信を行うことができなくなる。
【０００９】
上記のことから、ＰＩＮロック状態及びＰＵＫロック状態にある場合であっても、ＵＳＩＭカードを装置から抜いてしまった場合であっても、緊急通報用電話番号以外の発信も可能な通信装置、通信方法、及び通信プログラムの必要性がある。
【課題を解決するための手段】
【００１０】
１つの態様に係る通信装置は、第１の通信方式及び第２の通信方式で通信を行う通信部と、前記第１の通信方式に対応付けられた自装置のＩＣカードが挿入される挿入部と、ＰＩＮロック若しくはＰＵＫロックがされている場合において、前記挿入部に前記ＩＣカードが挿入されていないと、前記第２の通信方式による発信を許可する制御部と、を有する。
【００１１】
１つの態様に係る通信方法は、第１の通信方式及び第２の通信方式で通信を行う通信部と、前記第１の通信方式に対応付けられたＩＣカードが挿入される挿入部とを有する通信装置を制御する方法であって、ＰＩＮロック若しくはＰＵＫロックがされている場合において、前記挿入部に前記ＩＣカードが挿入されているか否かを判定するステップと、前記挿入部に前記ＩＣカードが挿入されていないと、前記第２の通信方式による発信を許可するステップと、を含む。
【００１２】
１つの態様に係る通信プログラムは、第１の通信方式及び第２の通信方式で通信を行う通信部と、前記第１の通信方式に対応付けられた自装置のＩＣカードが挿入される挿入部とを有する通信装置に、ＰＩＮロック若しくはＰＵＫロックがされている場合において、前記挿入部に前記自装置のＩＣカードが挿入されているか否かを判定するステップと、前記挿入部に前記自装置のＩＣカードが挿入されていないと判定された場合に、前記第２の通信方式による発信を許可するステップと、を実行させる。
【図面の簡単な説明】
【００１３】
【図１】図１は、実施形態に係るスマートフォンの斜視図である。
【図２】図２は、スマートフォンの正面図である。
【図３】図３は、スマートフォンの背面図である。
【図４】図４は、ホーム画面の例を示す図である。
【図５】図５は、スマートフォンのブロック図である。
【図６】図６は、ディスプレイに表示される通話設定インターフェースの一例を示す図である。
【図７】図７は、ディスプレイに表示される通話設定インターフェースの一例を示す図である。
【図８】図８は、ＰＨＳ方式による通話に関する操作を受け付けるためのユーザインターフェースの一例を示す図である。
【図９】図９は、３Ｇ方式による通話に関する操作を受け付けるためのユーザインターフェースの一例を示す図である。
【図１０】図１０は、制御プログラムが提供する機能に基づく制御の処理手順の例を示す図である。
【図１１】図１１は、許可発信先電話番号リストに含まれるデータの一例を示す図である。
【図１２】図１２は、制御プログラムが提供する機能に基づく制御の処理手順の例を示す図である。
【発明を実施するための形態】
【００１４】
本出願に係る通信装置、通信方法、及び通信プログラムを実施するための実施形態を、図面を参照しつつ詳細に説明する。以下では、タッチスクリーンを備える通信装置の例として、スマートフォンについて説明する。
【００１５】
（実施形態１）
図１から図３を参照しながら、実施形態１に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１６】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１７】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１８】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１９】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト（接触物）」と呼ぶことがある。
【００２０】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００２１】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２２】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００２３】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２４】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２５】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２６】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２７】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２８】
本実施形態では、１本の指により行われるジェスチャを「シングルタッチジェスチャ」と呼ぶことがある。本実施形態では、２本以上の指により行われるジェスチャを「マルチタッチジェスチャ」と呼ぶことがある。ピンチインおよびピンチアウトは、マルチタッチジェスチャである。タップ、フリックおよびスワイプ等は、１本の指で行われればシングルタッチジェスチャであり、２本以上の指で行われればマルチタッチジェスチャである。
【００２９】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００３０】
図４を参照しながら、ディスプレイ２Ａに表示される画面の例について説明する。図４は、ホーム画面の例を示している。ホーム画面は、デスクトップ、待受画面、アイドル画面又は標準画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３１】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、ジェスチャが検出されたアイコン５０に対応付けられているアプリケーションを実行する。例えば、スマートフォン１は、メールアプリケーションに対応付けられたアイコン５０に対するタップが検出されると、メールアプリケーションを実行する。
【００３２】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン、バックスクリーン、アイドル画像又は背景画像と呼ばれることもある。スマートフォン１は、任意の画像を壁紙４１として用いることができる。スマートフォン１は、壁紙４１として表示する画像を利用者が選択できるように構成されてもよい。
【００３３】
スマートフォン１は、複数のホーム画面を有していてよい。スマートフォン１は、例えば、ホーム画面の数を利用者による設定に従って決定する。スマートフォン１は、ホーム画面の数が複数であっても、選択された１つをディスプレイ２Ａに表示する。
【００３４】
スマートフォン１は、ディスプレイ２Ａに表示するホーム画面４０を変更することができる。スマートフォン１は、ホーム画面の１つを表示中にジェスチャが検出されると、ディスプレイ２Ａに表示するホーム画面を別のホーム画面に変更する。例えば、スマートフォン１は、右フリックを検出すると、ディスプレイ２Ａに表示するホーム画面を１つ左のホーム画面に変更する。例えば、スマートフォン１は、左フリックを検出すると、ディスプレイ２Ａに表示するホーム画面を１つ右のホーム画面に変更する。スマートフォン１は、第１のホーム画面をディスプレイ２Ａに表示中にジェスチャが検出されると、ディスプレイ２Ａに表示される第１のホーム画面の面積が徐々に狭くなり、ディスプレイ２Ａに表示される第２のホーム画面の面積が徐々に広くなるようにディスプレイ２Ａに表示するホーム画面を第１のホーム画面から第２のホーム画面へ変更する。スマートフォン１は、第１のホーム画面が第２のホーム画面に即座に置き換わるようにホーム画面を切り替えてもよい。
【００３５】
ディスプレイ２Ａの上端には、領域４２が設けられている。領域４２には、電源の残量を示す残量マーク４３と、ＰＨＳ方式を用いた通信用の電波の電界強度を示す電波レベルマーク４４ａ、及び３Ｇ方式を用いた通信用の電波の電界強度を示す電波レベルマーク４４ｂ、が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３６】
図４に示したホーム画面４０は、例であり、各種の要素の形態、各種の要素の配置、ホーム画面４０の数、及びホーム画面４０での各種の操作の仕方等は上記の説明の通りでなくてもよい。
【００３７】
図５は、スマートフォン１のブロック図である。スマートフォン１は、タッチスクリーンディスプレイ２と、ボタン３と、照度センサ４と、近接センサ５と、第１通信ユニット６Ａと、第２通信ユニット６Ｂと、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、ＩＣカード挿入部１８とを有する。
【００３８】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３９】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００４０】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４１】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００４２】
第１通信ユニット６Ａ及び第２通信ユニット６Ｂは、無線により通信する。第１通信ユニット６Ａ及び第２通信ユニット６Ｂによってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。実施形態１において、第１通信ユニット６Ａは、第１の通信方式として、少なくとも、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）の１つ又は複数をサポートする。第２通信ユニット６Ｂは、第２の通信方式として、少なくとも、ＰＨＳ（Ｐｅｒｓｏｎａｌ  Ｈａｎｄｙ−ｐｈｏｎｅ  Ｓｙｓｔｅｍ）をサポートする。
【００４３】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００４４】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４５】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、第１通信ユニット６Ａ及び第２通信ユニット６Ｂによる無線通信又は非一過的な記憶媒体を介してストレージ９にインストールされてもよい。
【００４６】
ストレージ９は、例えば、制御プログラム９Ａ、メールアプリケーション９Ｂ、ブラウザアプリケーション９Ｃ、ナビゲートアプリケーション９Ｄ、音楽プレイヤーアプリケーション９Ｅ、カレンダーアプリケーション９Ｆ、計算機アプリケーション９Ｇ、及び設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。ナビゲートアプリケーション９Ｄは、道案内等のためのナビゲーション機能を提供する。音楽プレイヤーアプリケーション９Ｅは、音楽を再生し、レシーバ７またはスピーカ１１から出力するためのプレイヤー機能を提供する。カレンダーアプリケーション９Ｆは、スケジュール管理等のためのカレンダー機能を提供する。計算機アプリケーション９Ｇは、例えば四則演算を行うための計算機機能を提供する。設定データ９Ｚは、スマートフォン１の動作に関する各種の設定に関する情報を含む。例えば、設定データ９Ｚは、第１通信ユニット６Ａなどを制御することによって実現される通話、又は第２通信ユニット６Ｂなどを制御することによって実現される通話のいずれを行うかの設定に関する情報などを含む。ストレージ９は、第２通信ユニットによるＰＨＳ方式の通信に用いる電話番号のデータを記憶する。
【００４７】
制御プログラム９Ａは、スマートフォン１を稼働させるための各種制御に関する機能を提供する。制御プログラム９Ａは、例えば、第１通信ユニット６Ａ及び第２通信ユニット６Ｂ、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、メールアプリケーション９Ｂ等の他のプログラムが提供する機能と組み合わせて利用されることがある。制御プログラム９Ａが提供する機能には、例えば、ＵＳＩＭ（ＵＩＭ，ＳＩＭ）−ＰＩＮの機能が起動した状態、又はＵＳＩＭ（ＵＩＭ，ＳＩＭ）−ＰＵＫロックの機能が起動した状態にあるときに、ＵＳＩＭ（ＵＩＭ，ＳＩＭ）カードがＩＣカード挿入部１８に挿入されていない場合（ＵＳＩＭ（ＵＩＭ，ＳＩＭ）カードが引き抜かれた場合）には、ＰＨＳ方式による通信を許可する機能が含まれる。制御プログラム９Ａが提供する機能には、ＰＨＳ方式と３Ｇ方式とを切り換える操作を受け付けるユーザインターフェースを提供する機能が含まれる。制御プログラム９Ａが提供する機能には、ＰＨＳ方式による通話に関する操作を受け付けるためのユーザインターフェースを提供する機能が含まれる。制御プログラム９Ａが提供する機能には、３Ｇ方式による通話に関する操作を受け付けるためのユーザインターフェースを提供する機能が含まれる。
【００４８】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００４９】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、第１通信ユニット６Ａ及び第２通信ユニット６Ｂ、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、レシーバ７、カメラ１２、カメラ１３、加速度センサ１５、方位センサ１６、及びジャイロスコープ１７を含むが、これらに限定されない。
【００５０】
コントローラ１０は、例えば、制御プログラム９Ａを実行することにより、例えば、ＵＳＩＭ（ＵＩＭ，ＳＩＭ）−ＰＩＮの機能が起動した状態、又はＵＳＩＭ（ＵＩＭ，ＳＩＭ）−ＰＵＫロックの機能が起動した状態にあるときに、ＵＳＩＭ（ＵＩＭ，ＳＩＭ）カードがＩＣカード挿入部１８に挿入されている状態にあるか否かを判定し、判定の結果、ＵＳＩＭ（ＵＩＭ，ＳＩＭ）カードがＩＣカード挿入部１８に挿入されていない場合（ＵＳＩＭ（ＵＩＭ，ＳＩＭ）カードが引き抜かれた場合）には、ＰＨＳ方式による通信を許可する等の各種制御を実行する。以下では、説明の便宜上、ＵＳＩＭ（ＵＩＭ，ＳＩＭ）−ＰＩＮの機能が起動した状態をＰＩＮロック状態と表記し、ＵＳＩＭ（ＵＩＭ，ＳＩＭ）−ＰＵＫロックの機能が起動した状態をＰＵＫロック状態と表記する。
【００５１】
カメラ１２は、フロントフェイス１Ａに面している物体を撮影するインカメラである。カメラ１３は、バックフェイス１Ｂに面している物体を撮影するアウトカメラである。
【００５２】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００５３】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。ＩＣカード挿入部１８には、ＵＳＩＭ（ＵＩＭ，ＳＩＭ）カードなどのＩＣカード１８ａが挿入される。ＩＣカード１８ａには、自機３Ｇの電話番号及びＰＩＮコード、ＰＵＫコードのデータが記憶されている。
【００５４】
図５においてストレージ９が記憶するプログラム及びデータの一部又は全部は、第１通信ユニット６Ａ及び第２通信ユニット６Ｂによる無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５５】
図５に示したスマートフォン１の構成は例であり、本発明の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５６】
図６及び図７に、ディスプレイ２Ａに表示される通話設定インターフェースの一例を示す。図６及び図７に示す通話設定インターフェース４５をユーザが操作することにより、ＰＨＳ方式か、３Ｇ方式の通信方式が設定される。図６に示す通話設定インターフェース４５は、通信方式としてＰＨＳ方式が設定された状態を表している。図７に示す通話設定インターフェース４５は、通信方式として３Ｇ方式が設定された状態を表している。スマートフォン１は、通信設定インターフェース４５に対して、タッチスクリーン２Ｂの検出結果に応じて通信方式を設定する。例えば、スマートフォン１は、タッチスクリーン２Ｂにより、通話設定インターフェース４５においてＰＨＳと表記された画像へのタッチが検出された場合には、図６に示すように、通信方式をＰＨＳに設定する。スマートフォン１は、通信方式がＰＨＳに設定されたことを示す為に、例えば、図６に示すように、通話設定インターフェース４５においてＰＨＳと表記された画像の表示色を反転させる。一方、スマートフォン１は、タッチスクリーン２Ｂにより、通話設定インターフェース４５において３Ｇと表記された画像へのタッチが検出された場合には、図７に示すように、通信方式を３Ｇに設定する。スマートフォン１は、通信方式が３Ｇに設定されたことを示す為に、例えば、図７に示すように、通話設定インターフェース４５において３Ｇと表記された画像の表示色を反転させる。
【００５７】
図８に、ＰＨＳ方式による通話に関する操作を受け付けるためのユーザインターフェースの一例を示す。図８に示すように、ＰＨＳ方式による通話に関する操作を受け付けるためのユーザインターフェース４６は、ＳＭＳ（Ｓｈｏｒｔ  Ｍｅｓｓａｇｅ  Ｓｅｒｖｉｃｅ）、電話帳、キーパッド、履歴などの各種機能に対応する操作部を有する。図８は、ディスプレイ２Ａにキーパッドが表示されている例であり、発信操作を行うための操作部４６ａの画像が「発信（ＰＨＳ）」となっている。図８に示すユーザインターフェース４６は、通信方式として通話設定インターフェース４５上でＰＨＳ方式が設定されている場合に、例えば、通話機能に対応するアイコンに対する操作に伴ってディスプレイ２Ａに表示される。
【００５８】
図９に、３Ｇ方式による通話に関する操作を受け付けるためのユーザインターフェースの一例を示す。図９に示すように、３Ｇ方式による通話に関する操作を受け付けるためのユーザインターフェース４７は、ＳＭＳ、電話帳、キーパッド、発着信履歴などの各種機能に対応する操作部を有する。図９では、ディスプレイ２Ａにキーパッドが表示されている例であり、発信操作を行うための操作部４７ａの画像が「発信（３Ｇ）」となっている。図９に示すユーザインターフェース４７は、通信方式として通話設定インターフェース４５上で３Ｇ方式が設定されている場合に、通話機能に対応するアイコンに対する操作に伴ってディスプレイ２Ａに表示される。
【００５９】
図８に示すユーザインターフェース４６と、図９に示すユーザインターフェース４７は、基本的には同様の構成を有しており、発信種別に応じて、キーパッド上の発信ボタンの画像が変更される点だけが異なる。
【００６０】
図１０を参照しながら、制御プログラム９Ａが提供する機能に基づく制御の処理手順の例について説明する。図１０は、スマートフォン１がＰＩＮロック状態あるいはＰＵＫロック状態にある場合に、ＰＨＳ方式による通信を許可するための処理が実行されるときの処理手順を示している。図１０に示す処理手順は、コントローラ１０が、制御プログラム９Ａを実行することによって実現される。図１０に示す処理手順は、スマートフォン１がＰＩＮロック状態あるいはＰＵＫロック状態にあり、ＩＣカード１８ａとして、ＵＳＩＭ（ＵＩＭ，ＳＩＭ）カードがＩＣカード挿入部１８に挿入されている状態にある場合に繰り返し実行される。
【００６１】
図１０に示すように、コントローラ１０は、例えば、ＰＩＮロック状態あるいはＰＵＫロック状態にある場合に、ステップＳ１０１として、ＵＳＩＭ（ＵＩＭ，ＳＩＭ）カードがＩＣカード挿入部１８に挿入されている状態にあるか否かを判定する。コントローラ１０は、ＰＩＮロック状態あるいはＰＵＫロック状態にある場合に、所定の周期で、ＵＳＩＭ（ＵＩＭ，ＳＩＭ）カードがＩＣカード挿入部１８に挿入されている状態にあるか否かを繰り返し判定する。
【００６２】
コントローラ１０は、判定の結果、ＵＳＩＭ（ＵＩＭ，ＳＩＭ）カードがＩＣカード挿入部１８に挿入されていない場合には（ステップＳ１０１，Ｎｏ）、ステップＳ１０２として、ＰＨＳ方式での発信を許可する。すなわち、ＩＣカード挿入部１８からＵＳＩＭ（ＵＩＭ，ＳＩＭ）カードが引き抜かれた場合、３Ｇ方式での通信はできない状態となるが、ＰＨＳ方式での通信はできる状態にする。
【００６３】
続いて、コントローラ１０は、ステップＳ１０３として、ユーザの操作に応じて、ＰＨＳ方式対応のユーザインターフェース４６（図８参照）を起動する。続いて、コントローラ１０は、ステップＳ１０４として、タッチスクリーン２Ｂの検出結果を取得する。
【００６４】
続いて、コントローラ１０は、タッチスクリーン２Ｂの検出結果に基づいて、ステップＳ１０５として、発信操作が検出されたか否かを判定する。例えば、コントローラ１０は、タッチスクリーン２Ｂの検出結果から、ユーザインターフェース４６に設けられた操作部４６ａに対するタッチがあったかどうかを検出する。
【００６５】
コントローラ１０は、判定の結果、発信操作が検出された場合には（ステップＳ１０５，Ｙｅｓ）、ステップＳ１０６として、ＰＨＳ方式で発信し、図１０の処理手順を終了する。一方、コントローラ１０は、判定の結果、発信操作が検出されなかった場合には（ステップＳ１０５，Ｎｏ）、ステップＳ１０４に戻り、再び、タッチスクリーン２Ｂの検出結果を取得する。
【００６６】
上述したステップＳ１０１において、コントローラ１０は、判定の結果、ＵＳＩＭ（ＵＩＭ，ＳＩＭ）カードがＩＣカード挿入部１８に挿入されている場合には（ステップＳ１０１，Ｙｅｓ）、図１０の処理手順を終了する。そして、コントローラ１０は、次の周期で、再び、ステップＳ１０１の処理手順を実行し、ＵＳＩＭ（ＵＩＭ，ＳＩＭ）カードがＩＣカード挿入部１８に挿入されている状態にあるか否かを判定する。
【００６７】
上述してきたように、スマートフォン１は、ＵＳＩＭ（ＵＩＭ，ＳＩＭ）カードがＩＣカード挿入部１８に挿入されていない場合（ＵＳＩＭ（ＵＩＭ，ＳＩＭ）カードが引き抜かれた場合）には、ＰＨＳ方式による通信を許可する。
【００６８】
実施形態１において、スマートフォン１に、ＵＳＩＭ（ＵＩＭ，ＳＩＭ）カードがＩＣカード挿入部１８に挿入されており、さらに、ＰＩＮロック状態あるいはＰＵＫロック状態にある場合には、第１通信ユニットによる３Ｇ方式での通信を制限するだけでなく、第２通信ユニットによるＰＨＳ方式での通信も禁止されている。
【００６９】
（実施形態２）
以下の実施形態２では、ＵＳＩＭ（ＵＩＭ，ＳＩＭ）カードがＩＣカード挿入部１８に挿入されていない場合に、特定の発信先電話番号に対してのみ、ＰＨＳ発信を許可する機能を持たせる場合について説明する。
【００７０】
ストレージ９の設定データＺには、ＵＳＩＭ（ＵＩＭ，ＳＩＭ）カードがＩＣカード挿入部１８に挿入されていない場合に、発信先として許可される許可発信先電話番号リストが含まれる。図１１は、許可発信先電話番号リストに含まれるデータの一例を示す図である。図１１に示すように、許可発信先電話番号リストには、ＵＳＩＭ（ＵＩＭ，ＳＩＭ）カードがＩＣカード挿入部１８に挿入されていない場合に発信先として許可される複数の電話番号１〜６のデータが含まれる。例えば、電話番号１〜３は緊急通報用の電話番号であり、電話番号４〜６はユーザにより設定される電話番号である。
【００７１】
ストレージ９の設定データＺには、ユーザインターフェース４６に入力された発信先の電話番号が一時的に記憶される。
【００７２】
制御プログラム９Ａが提供する機能には、ＵＳＩＭ（ＵＩＭ，ＳＩＭ）カードがＩＣカード挿入部１８に挿入されていない場合であって、かつユーザインターフェース４６に記憶された電話番号が許可発信先電話番号リストに含まれる場合には、ＰＨＳ発信を許可する機能が含まれる。制御プログラム９Ａが提供する機能には、ユーザインターフェース４６に入力された発信先の電話番号のデータをストレージ９に格納する機能が含まれる。
【００７３】
コントローラ１０は、例えば、制御プログラム９Ａを実行することにより、ＵＳＩＭ（ＵＩＭ，ＳＩＭ）カードがＩＣカード挿入部１８に挿入されていない場合であって、かつユーザインターフェース４６に入力された発信先の電話番号が許可発信先電話番号リストに含まれる場合には、ＰＨＳ発信を許可する処理を実行する。
【００７４】
図１２を参照しながら、制御プログラム９Ａが提供する機能に基づく制御の処理手順の例について説明する。図１２は、ＵＳＩＭ（ＵＩＭ，ＳＩＭ）カードがＩＣカード挿入部１８に挿入されていない場合に、特定の発信先電話番号に対してのみ、ＰＨＳ発信を許可する処理が実行されるときの処理手順を示している。図１２に示す処理手順は、コントローラ１０が、制御プログラム９Ａを実行することによって実現される。図１２に示す処理手順は、スマートフォン１がＰＩＮロック状態あるいはＰＵＫロック状態にあり、ＵＳＩＭ（ＵＩＭ，ＳＩＭ）カードがＩＣカード挿入部１８に挿入されている状態にある場合に繰り返し実行される。
【００７５】
図１２に示すように、コントローラ１０は、例えば、ＰＩＮロック状態あるいはＰＵＫロック状態にある場合に、ステップＳ２０１として、ＵＳＩＭ（ＵＩＭ，ＳＩＭ）カードがＩＣカード挿入部１８に挿入されている状態にあるか否かを判定する。コントローラ１０は、ＰＩＮロック状態あるいはＰＵＫロック状態にある場合に、所定の周期で、ＵＳＩＭ（ＵＩＭ，ＳＩＭ）カードがＩＣカード挿入部１８に挿入されている状態にあるか否かを繰り返し判定する。
【００７６】
コントローラ１０は、判定の結果、ＵＳＩＭ（ＵＩＭ，ＳＩＭ）カードがＩＣカード挿入部１８に挿入されていない場合には（ステップＳ２０１，Ｎｏ）、ステップＳ２０２として、ＰＨＳ方式での発信を許可する。すなわち、ＩＣカード挿入部１８からＵＳＩＭ（ＵＩＭ，ＳＩＭ）カードが引き抜かれた場合、３Ｇ方式での通信はできない状態となるが、ＰＨＳ方式での通信はできる状態にする。
【００７７】
続いて、コントローラ１０は、ステップＳ２０３として、ユーザの操作に応じて、ＰＨＳ方式対応のユーザインターフェース４６（図８参照）を起動する。続いて、コントローラ１０は、ステップＳ２０４として、タッチスクリーン２Ｂの検出結果を取得する。
【００７８】
続いて、コントローラ１０は、タッチスクリーン２Ｂの検出結果に基づいて、ステップＳ２０５として、発信操作が検出されたか否かを判定する。例えば、コントローラ１０は、タッチスクリーン２Ｂの検出結果から、ユーザインターフェース４６に設けられた操作部４６ａに対するタッチがあったかどうかを検出する。
【００７９】
コントローラ１０は、判定の結果、発信操作が検出された場合には（ステップＳ２０５，Ｙｅｓ）、ステップＳ２０６として、ユーザインターフェース４６に入力された発信先の電話番号が許可発信先電話番号リスト（図１１参照）に含まれるか否かを判定する。例えば、コントローラ１０は、発信操作が検出された場合には、許可発信先電話番号リスト、及びユーザインターフェース４６に入力された発信先の電話番号をストレージ９から読み込む。そして、コントローラ１０は、発信先の電話番号データが、許可発信先電話番号リストにある電話番号１〜６のいずれかに一致するか否かを判定する。
【００８０】
コントローラ１０は、判定の結果、発信先の電話番号が許可発信先電話番号リストに含まれる場合には（ステップＳ２０６，Ｙｅｓ）、ステップＳ２０７として、入力された発信先の電話番号に対してＰＨＳ方式で発信し、図１２の処理手順を終了する。
【００８１】
一方、コントローラ１０は、判定の結果、発信先の電話番号が許可発信先電話番号リストに含まれない場合には（ステップＳ２０６，Ｎｏ）、入力された発信先の電話番号に対する発信を行わずに、図１２の処理手順を終了する。
【００８２】
上述したステップＳ２０５において、コントローラ１０は、判定の結果、発信操作が検出されなかった場合には（ステップＳ２０５，Ｎｏ）、ステップＳ２０４に戻り、再び、タッチスクリーン２Ｂの検出結果を取得する。
【００８３】
上述したステップＳ２０１において、コントローラ１０は、判定の結果、ＵＳＩＭ（ＵＩＭ，ＳＩＭ）カードがＩＣカード挿入部１８に挿入されている場合には（ステップＳ２０１，Ｙｅｓ）、図１２の処理手順を終了する。そして、コントローラ１０は、次の周期で、再び、ステップＳ１０１の処理手順を実行し、ＵＳＩＭ（ＵＩＭ，ＳＩＭ）カードがＩＣカード挿入部１８に挿入されている状態にあるか否かを判定する。
【００８４】
上述してきたように、スマートフォン１は、ＵＳＩＭ（ＵＩＭ，ＳＩＭ）カードがＩＣカード挿入部１８に挿入されていない場合（ＵＳＩＭ（ＵＩＭ，ＳＩＭ）カードが引き抜かれた場合）に、特定の発信先電話番号に対してのみ、ＰＨＳ発信を許可する。このため、実施形態２によれば、ＵＳＩＭ（ＵＩＭ，ＳＩＭ）カードに依存しない発信を可能としつつ、不特定の電話番号へ発信させないようにできる。例えば、スマートフォン１の所有者以外の第３者が、ＵＳＩＭ（ＵＩＭ，ＳＩＭ）カードを引き抜いたとしても、不特定の電話番号へ発信されることを防止できる。
【００８５】
実施形態１及び実施形態２において、ＵＳＩＭ（ＵＩＭ，ＳＩＭ）カードなどのＩＣカード１８ａが挿入されているか否かを繰り返し判定することに代えて、ＵＳＩＭ（ＵＩＭ，ＳＩＭ）カードなどのＩＣカードがＩＣカード挿入部１８から抜かれるイベントを検出したことによってフローを開始してもよい。
【００８６】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【００８７】
例えば、図５に示した各プログラムは、複数のモジュールに分割されていてもよい。あるいは、図５に示した各プログラムは、他のプログラムと結合されていてもよい。
【００８８】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。例えば、ＵＳＩＭ（ＵＩＭ，ＳＩＭ）カードなどのＩＣカードが挿入され、通話に係る発信操作が可能な携帯電子機器であればよい。携帯電子機器としては、例えば、モバイルフォン、タブレット、携帯型パソコン、デジタルカメラ、メディアプレイヤ、電子書籍リーダ、ナビゲータ、及びゲーム機などが考えられる。
【符号の説明】
【００８９】
１  スマートフォン
２  タッチスクリーンディスプレイ
２Ａ  ディスプレイ
２Ｂ  タッチスクリーン
３  ボタン
４  照度センサ
５  近接センサ
６Ａ  第１通信ユニット
６Ｂ  第２通信ユニット
７  レシーバ
８  マイク
９  ストレージ
９Ａ  制御プログラム
９Ｂ  メールアプリケーション
９Ｃ  ブラウザアプリケーション
９Ｄ  ナビゲートアプリケーション
９Ｅ  音楽プレイヤーアプリケーション
９Ｆ  カレンダーアプリケーション
９Ｇ  計算機アプリケーション
９Ｚ  設定データ
１０  コントローラ
１１  スピーカ
１２，１３  カメラ
１４  コネクタ
１５  加速度センサ
１６  方位センサ
１７  ジャイロスコープ
１８  ＩＣカード挿入部
１８ａ  ＩＣカード
２０  ハウジング
４０  ホーム画面
４５  通話設定インターフェース
４６，４７  ユーザインターフェース
５０  アイコン
【図１】
0005583713.tif 000002
【図２】
0005583713.tif 000003
【図３】
0005583713.tif 000004
【図４】
0005583713.tif 000005
【図５】
0005583713.tif 000006
【図６】
0005583713.tif 000007
【図７】
0005583713.tif 000008
【図８】
0005583713.tif 000009
【図９】
0005583713.tif 000010
【図１０】
0005583713.tif 000011
【図１１】
0005583713.tif 000012
【図１２】
0005583713.tif 000013